(57)【要約】【課題】本発明は、輝度変化部材を装着した状態で顔検出が可能な検出位置と顔検出が不可能な防止位置に簡単に位置決めすることができる顔検出防止具を提供することを目的とする。【解決手段】顔検出防止具１は、両眼の周囲の領域を覆う形状に形成されるとともに撮影画像の輝度とは異なる輝度で撮影されるように輝度を変化させる輝度変化部材２と、人物の顔に装着されて輝度変化部材２を両眼の周囲に対向配置するように支持する装着部材３と、輝度変化部材２を装着部材３に回動可能に取り付けるとともに輝度変化部材２を含む撮影画像の輝度に基づいて顔検出が可能となる検出位置と検出位置から所定角度回動させて顔が検出が不可能となる防止位置とに輝度変化部材２を位置決めする取付部材４とを備えている。【選択図】図１
2019020495.tif 000002
【特許請求の範囲】
【請求項１】
人物の顔の所定領域を覆う形状に形成されるとともに当該所定領域の撮影画像の輝度とは異なる輝度で撮影されるように輝度を変化させる輝度変化部材と、人物の顔に装着されて前記輝度変化部材を前記所定領域に対向配置するように支持する装着部材と、前記輝度変化部材を前記装着部材に回動可能に取り付けるとともに前記所定領域に対向配置された前記輝度変化部材を含む撮影画像の輝度に基づいて人物の顔が検出可能となる検出位置と当該検出位置から所定角度回動させて当該撮影画像の輝度に基づいて人物の顔が検出不可能となる防止位置とに前記輝度変化部材を位置決めする取付部材とを備えている顔検出防止具。
【請求項２】
前記装着部材は、顔の側部に装着される一対のサイド部材及び顔の前側に装着されるフロント部材を備えており、前記取付部材は、前記フロント部材に回動可能に取り付けられている請求項１に記載の顔検出防止具。
【請求項３】
前記輝度変化部材は、前記検出位置において下向きに傾斜した状態で位置決めされるとともに前記防止位置において上向きに傾斜した状態で位置決めされる請求項１又は２に記載の顔検出防止具。
【請求項４】
前記輝度変化部材は、透明樹脂材料からなる基材の前側の表面にミラーコート層が形成されている請求項１から３のいずれかに記載の顔検出防止具。
【発明の詳細な説明】
【技術分野】
【０００１】
本発明は、顔を撮影されて人物を特定されることを防止する顔検出防止具に関する。
【背景技術】
【０００２】
スマートフォン等のカメラ付き携帯機器の普及により日常的に人物を撮影することが行われており、撮影された膨大な人物画像がソーシャル・ネットワーキング・サービス（ＳＮＳ）等の通信ネットワークサービスを通じて公開されている。こうして公開された人物画像は、画像解析技術及び画像検索技術の進展により人物を特定することが可能となっており、無断で撮影・開示された人物画像から人物を特定して特定された人物を膨大な撮影画像から検索することで、その人物がいつ・どこにいたかを追跡することができるようになり、プライバシー情報が容易に暴露される状況となっている。そのため、無断で撮影されることによる人物の特定を回避してプライバシー侵害を防止する対策が求められている。
【０００３】
特許文献１では、人物の顔に装着し、カメラで撮影された撮影画像の検出領域における輝度の評価を通して、撮影画像の中から人物の顔を検出する顔判別器による検出領域における輝度の評価を変更させる顔検出防止具が記載されており、検出領域において輝度が低く評価される人物の顔の位置に対向するように配置されて、輝度を高く変化させる高輝度化部材、又は、検出領域において輝度が高く評価される人物の顔の位置に対向するように配置されて、輝度を低く変化させる低輝度化部材を有する点が記載されている。
【先行技術文献】
【特許文献】
【０００４】
【特許文献１】特許第６１０８５６２号公報
【発明の概要】
【発明が解決しようとする課題】
【０００５】
上述した特許文献１では、顔の検出領域において輝度を変化させる輝度変化部材を用いて顔の検出を防止するようにしているが、利用者が外出する際に常時輝度変化部材を携帯して顔検出を防止したい場合に装着することが求められる。しかしながら、意図しない撮影に対してすばやく輝度変化部材を取り出して装着することは困難であり、かといって輝度変化部材で常時顔を覆うように装着していることは現実的ではなく、日常生活で使用することを想定した実用化に向けての課題がある。
【０００６】
眼鏡に顔検出防止具を蝶番により回動可能に取り付けて、必要に応じて顔検出防止具を眼鏡レンズに重ね合せて顔検出を防止することも提案されているが、この場合でも顔検出を防止する必要がない場合には、眼鏡レンズに対して輝度変化部材を上方に回動させて前側に突き出た状態で保持するようになり、実用的なものとはいえない。
【０００７】
そこで、本発明は、輝度変化部材を装着した状態で顔検出が可能な検出位置と顔検出が不可能な防止位置に簡単に位置決めすることができる顔検出防止具を提供することを目的とする。
【課題を解決するための手段】
【０００８】
本発明に係る顔検出防止具は、人物の顔の所定領域を覆う形状に形成されるとともに当該所定領域の撮影画像の輝度とは異なる輝度で撮影されるように輝度を変化させる輝度変化部材と、人物の顔に装着されて前記輝度変化部材を前記所定領域に対向配置するように支持する装着部材と、前記輝度変化部材を前記装着部材に回動可能に取り付けるとともに前記所定領域に対向配置された前記輝度変化部材を含む撮影画像の輝度に基づいて人物の顔が検出可能となる検出位置と当該検出位置から所定角度回動させて当該撮影画像の輝度に基づいて人物の顔が検出不可能となる防止位置とに前記輝度変化部材を位置決めする取付部材とを備えている。さらに、前記装着部材は、顔の側部に装着される一対のサイド部材及び顔の前側に装着されるフロント部材を備えており、前記取付部材は、前記フロント部材に回動可能に取り付けられている。さらに、前記輝度変化部材は、前記検出位置において下向きに傾斜した状態で位置決めされるとともに前記防止位置において上向きに傾斜した状態で位置決めされる。さらに、前記輝度変化部材は、透明樹脂材料からなる基材の前側の表面にミラーコート層が形成されている。
【発明の効果】
【０００９】
本発明は、上記のような構成を有することで、輝度変化部材を装着した状態で顔検出が可能な検出位置と顔検出が不可能な防止位置に簡単に位置決めすることができる。
【図面の簡単な説明】
【００１０】
【図１】本発明に係る顔検出防止具に関する平面図、正面図及び側面図である。
【図２】装着部材から取り外した状態の取付部材に関する正面図である。
【図３】取付部材を取り外した状態の装着部材に関する正面図である。
【図４】連結軸部分及び軸受部分の連結状態を側面からみた断面図である。
【図５】輝度変化部材を検出位置に設定した場合及び防止位置に設定した場合を示す側面図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る顔検出防止具に関する平面図（図１（ａ））、正面図（図１（ｂ））及び側面図（図１（ｃ））である。顔検出防止具１は、人物の顔の両眼の周囲の領域を覆う形状に形成された一対の輝度変化部材２と、人物の顔に装着されて輝度変化部材２を両眼の周囲の領域に対向配置するように支持する装着部材３と、輝度変化部材２を装着部材３に回動可能に取り付ける取付部材４とを備えている。
【００１３】
輝度変化部材２は、人物の顔の所定領域を覆う形状に形成されるとともに所定領域の撮影画像の輝度とは異なる輝度で撮影されるように輝度を変化させる特性を備えている。この例では、輝度変化部材２は、眼鏡レンズとほぼ同じ形状に形成されており、特許文献１に記載されているように、Ｈａａｒ−ｌｉｋｅ特徴量を用いて検出領域における輝度を評価する複数の弱判別器から構成された強判別器を複数連結して構成された顔判別器による顔検出を防止する作用を有するものを用いることができる。例えば、眼鏡レンズと同様の形状に形成された透明樹脂材料からなる基材の表面に、赤外線等の光線を反射又は吸収する物質を付着させた部材を用いることで、顔判別器でＨａａｒ−ｌｉｋｅ特徴量により顔判定する際の輝度とは異なる輝度に変化させて顔判別を防止することが可能となる。
【００１４】
輝度変化部材２は、利用者が輝度変化部材２を通して外部が視認可能となるように光透過性を有しており、例えば、赤外線等の一部の光線を反射又は吸収するフィルタを用いることで、反射又は吸収される光線以外の光線が透過して外部を視認可能となることができる。
【００１５】
具体的には、透明樹脂材料からなる基材の前面側の表面にミラーコート層を形成することで反射率を高めて輝度変化機能を高めるとともに視認性を確保することができる。輝度変化部材の形状については、反射光の方向が撮影される方向となるように形成することで、輝度変化機能を高めることが可能となる。
【００１６】
また、輝度変化部材２は、人物の顔に装着された状態で所定角度回動させることで、顔判別器により顔検出が可能となるように設定されている。輝度変化部材２が顔判別器と対向配置された場合に、輝度変化部材２の回動により顔判別器に対する対向角度が変化することで、輝度変化部材２で反射して顔判別器に入射する光に変化が生じて輝度が変化するようになる。そのため、輝度変化部材２を所定領域に対向配置した状態で、輝度変化部材２を回動させて人物の顔が検出可能となる検出位置及び人物の顔が検出不可能となる防止位置に設定することができる。輝度変化部材２を回動させる角度は、輝度変化部材２の輝度特性及び形状により適宜設定することができ、輝度変化部材２を防止位置に位置決めした後実際に回動させて検出位置に位置決めして設定すればよい。
【００１７】
装着部材３は、輝度変化部材２を人物の顔の所定領域である両眼の周囲の領域に対向配置されるように支持している。この例では、装着部材３は、眼鏡フレームと同様の構成を備えており、顔の側部に装着される一対のサイド部材３０及び顔の前側に装着されるフロント部材３１を備え、サイド部材３０はフロント部材３１の両端部にヒンジ３２を介して取り付けている。フロント部材３１の中央部分には、一対の鼻パッド部材３３が取り付けられており、サイド部材３０を利用者の耳に掛けて鼻パッド部材３３を利用者の鼻に掛けることで、輝度変化部材２を両眼の周囲の領域に対向配置して安定して支持することができる。また、フロント部材３１の中央部分の前側には、取付部材４を回動可能に取り付けるための軸受部分３４が凹状に形成されている。
【００１８】
取付部材４は、輝度変化部材２を装着部材３に回動可能に取り付けるように構成されており、輝度変化部材２の周囲に嵌め込まれる一対の枠部分４１をブリッジ部分４０で一体化し、ブリッジ部分４０の後側には、装着部材３に回動可能に取り付けられる連結軸部分４２が凸状に形成されている。そして、連結軸部分４２を軸受部分３４に嵌め込んで軸支することで取付部材４が装着部材３に回動可能に取り付けられる。
【００１９】
図２は、装着部材３から取り外した状態の取付部材４に関する正面図であり、図３は、取付部材４を取り外した状態の装着部材３に関する正面図である。装着部材３のフロント部材３１は、取付部材４の枠部分４１の上部の形状とほぼ同じ形状に形成されており、取付部材４を装着部材３に取り付けた状態では、枠部分４１に沿うように所定間隔を空けてフロント部材３１が配置するようになっている。そのため、取付部材４を上方に回動させることで、フロント部材３１に枠部分４１が当接してそれ以上上方に回動しないようになっている。
【００２０】
図４は、連結軸部分４２及び軸受部分３４の連結状態を側面からみた断面図である。連結軸部分４２を軸受部分３４内に嵌め込んだ状態で軸部材４３が連結軸部分４２に挿入されて軸部材４３の両端部が軸受部分３４に軸支されており、そのため連結軸部分４２は軸部材４３を中心に回動するようになっている。連結軸部分４２の外周面には軸方向の両端部に外方に突出する一対の案内部４２ａが形成されており、案内部４２ａは、軸受部分３４の内周面に形成された一対の案内溝３４ａに嵌合している。案内部４２ａの表面は、曲面状に形成されているとともに案内溝３４ａの底面と対向する部分に窪み４２ｂが形成されている。案内溝３４ａは、連結軸部分４２の回動動作による案内部４２ａの軌跡に沿って前後方向に形成されており、案内溝３４ａの底面には、溝の深さをテーパ状に浅くした複数の係合突起３４ｂ及び３４ｃが形成されている。そして、係合突起３４ｂ又は３４ｃに案内部４２ａの表面に形成された窪み４２ｂが係合することで連結軸部分４２が保持されるようになっている。
【００２１】
連結軸部分４２及び軸受部分３４はこのように構成されているので、取付部材４を回動させて案内部４２ａを係合溝３４ａ内に沿って回動させると、案内部４２ａが係合突起３４ｂ又は３４ｃに当接するようになる。取付部材４をさらに回動させることで、案内部４２ａが係合突起３４ｂ又は３４ｃに摺接しながら回動して窪み４２ｂが係合突起３４ｂ又は３４ｃに係合し、両者が係合した回動位置で取付部材４が安定して保持されて位置決めされるようになる。
【００２２】
図４では、複数段階の回動位置で取付部材４が保持されて位置決めされる状態を実線及び一点鎖線で示しており、案内部４２ａが係合突起３４ｃに係合している状態を実線で示し、案内部４２ａが係合突起３４ｂに係合している状態を一点鎖線で示している。また、案内部４２ａが両者の間に位置している状態を点線で示している。
【００２３】
そして、係合突起３４ｂ及び３４ｃの形成する位置を調整することで、取付部材４が保持される回動位置を安定した状態で位置決めすることができ、取付部材４の枠部分４１に嵌め込まれた輝度変化部材２を回動させて上述した検出位置及び防止位置に安定した状態で位置決めすることが可能となる。そのため、装着部材３を顔面に装着した状態で取付部材４を手動で上下させることで簡単に検出位置又は防止位置に位置決めすることができ、ワンタッチで輝度変化部材２を防止位置に位置決めして顔検出を確実に防止することが可能となる。
【００２４】
図５は、輝度変化部材２を検出位置に設定した場合（図５（ａ））及び防止位置に設定した場合（図５（ｂ））を示す側面図である。図５（ａ）では、取付部材４を下方に回動させて係合突起４２ａが段差３４ｃを乗り越えた回動位置に位置決めされており、輝度変化部材２は、下向きに所定角度で傾斜した状態に設定されている。そのため、傾斜していない状態に比べて輝度変化部材２の光の反射状態が変化して人物の顔が検出可能な状態に設定される。例えば、屋外のように上方から太陽光が照射されている場合には、輝度変化部材２を下向きに傾斜させることで反射光が減少して検出可能な状態となる。また、図５（ｂ）では、取付部材４を上方に回動させて係合突起４２ａが段差３４ｂを乗り越えた回動位置に位置決めされており、輝度変化部材２は、上向きに所定角度で傾斜した状態に設定されている。そのため、図５（ａ）に示す検出位置に比べて輝度変化部材２の光の反射状態が変化して人物の顔を確実に検出不可能な状態に設定される。例えば、屋外のように上方から太陽光が照射されている場合には、輝度変化部材２を上向きに傾斜させることで反射光が増加して確実に検出不可能な状態となる。
【００２５】
このように、輝度変化部材２を両眼の周囲の領域に対向配置した状態で検出位置及び防止位置にワンタッチで切り換えることができるので、顔検出防止具を着用した状態ではサングラス等を着用しているかのような外見のまま他者からほとんど気付かれることなく操作することが可能となる。
【００２６】
以上説明した例では、取付部材４の連結軸部分４２を軸部材４３を中心に回動させるようにしているが、軸中心の回動以外の回動動作を行うようにしてもよく特に限定されない。例えば、取付部材４を揺動させながら回動させて輝度変化部材２を検出位置又は防止位置に位置決めすることもできる。また、装着部材３については、デザインや用途に合わせて様々な形態に変更してもよく特に限定されない。例えば、フロント部材３１に眼鏡レンズ、サングラスレンズ等を取り付けて輝度変化部材２と重ね合せた構成とすることもでき、サイド部材３０を顔面のこめかみ等に圧接させて装着することも可能である。
【実施例】
【００２７】
図１に示す形状で装着部材のサイド部材及びフロント部材並びに取付部材を樹脂成形により製造し、透明樹脂材料からなる基材の前面側の表面にミラーコート層を形成した輝度変化部材（株式会社加藤八製）を成形（縦の最大幅３９．１ｍｍ×横の最大幅５９ｍｍ）して取付部材の枠部分に嵌め込んで取り付けた。フロント部材にヒンジによりサイド部材を取り付け、連結軸部分と軸受部分を連結して顔検出防止具を製作した。
【００２８】
図５（ａ）に示す輝度変化部材の検出位置は、装着状態において鉛直方向に対して約１０°の角度で下向きに傾斜するように位置決めされるように設定し、図５（ｂ）に示す輝度変化部材の防止位置は、装着状態において鉛直方向に対して約１０°の角度で上向きに傾斜するように設定した。
【００２９】
屋外において顔検出防止具を装着した状態でコンパクトデジタルカメラ（キヤノン株式会社製）により正面及び斜め４５度の角度から顔全体を含む画像を撮影し、カメラに内蔵する顔検出機能により検出されるか否か試験した。顔検出については、カメラに付属する液晶画面に表示される撮影画像において矩形の枠が顔に表示されると顔検出が行われたことを示すようになる。実験結果では、輝度変化部材を検出位置に位置決めした場合には顔を検出することができ、防止位置に位置決めした場合には顔検出ができなかった。
【符号の説明】
【００３０】
１・・・顔検出防止具、２・・・輝度変化部材、３・・・装着部材、４・・・取付部材、３０・・・サイド部材、３１・・・フロント部材、３２・・・ヒンジ、３３・・・鼻パッド、３４・・・軸受部分、４０・・・ブリッジ部分、４１・・・枠部分、４２・・・連結軸部分
【図１】
2019020495.tif 000003
【図２】
2019020495.tif 000004
【図３】
2019020495.tif 000005
【図４】
2019020495.tif 000006
【図５】
2019020495.tif 000007